(57)【特許請求の範囲】
【請求項１】
建物の開口部に取り付けられている既存サッシ枠に取り付けられるリフォーム用サッシ枠であって、
サッシ枠本体と、このサッシ枠本体に形成されて前記既存サッシ枠に固定される固定部とを備えており、
前記サッシ枠本体の上横枠の断面形状が、前記既存サッシ枠の上横枠に嵌合するような断面に形成され、かつ、前記サッシ枠本体の上横枠のレール部の内部に、上方に開口する溝が形成され、この溝に前記既存サッシ枠の上横枠のレール部が嵌合されることを特徴とするリフォーム用サッシ枠。
【請求項２】
請求項１記載のリフォーム用サッシ枠において、サッシ枠本体が複数の部材から構成されていることを特徴とするリフォーム用サッシ枠。
【請求項３】
請求項１または２に記載のリフォーム用サッシ枠において、前記サッシ枠本体または固定部のうちの少なくとも一方には、シャッター用レールおよびシャッター用水切が着脱可能に取り付けられていることを特徴とするリフォーム用サッシ枠。
【発明の詳細な説明】
【０００１】
【発明の属する技術分野】
本発明は、建物のリフォーム、改築に伴うサッシ取替時に、既存のサッシ枠を撤去せずに新しいサッシを設置することが可能なリフォーム用サッシ枠に関するものである。
【０００２】
【背景の技術】
従来、建物のリフォームや改築時にサッシを交換する際、建物躯体と取り合う開口柱、横取付材や、外壁部分に取り合うシーリングや内装部分に取り合う室内窓枠などの内装材をいったん解体し、サッシ枠全部を交換する方法が採られている。この方法では、サッシ枠の取り外し工事や新たなサッシ枠の取付後の修復工事に多くの労力、手間を要するとともに、不要となった既存のサッシ枠および既存のサッシ枠とともに取り外された、サッシ枠周囲の外装材、内装材が廃棄物として排出される点が問題であった。
【０００３】
そこで、特開平１０−１０２９１７号公報「サッシ枠体及び開口部構造」に開示されているように、サッシ枠を、建物躯体への取付側のインナーサッシ枠と、窓材またはドアを保持するアウターサッシ枠とにより構成し、前記インナーサッシ枠と前記アウターサッシ枠とを相互に着脱可能に構成することで、サッシの交換を容易にする技術が提案されている。
【０００４】
【発明が解決しようとする課題】
しかし、アウターサッシ枠とインナーサッシ枠とで構成されたサッシ枠ではなく、通常のサッシ枠が設けられた既存建物のサッシを交換する場合には、上記技術を採ることができない。また、上記技術によれば、サッシの交換後不要になったインナーサッシ枠が廃棄物として生じる。
上記の課題に鑑み、本発明は、建物のリフォーム、改築に伴うサッシ取替時に、既存のサッシ枠を撤去せずに新しいサッシ枠を設置することが可能なサッシ枠を提供することを目的とする。
【０００５】
【課題を解決するための手段】
上記の課題を解決するため、請求項１記載のリフォーム用サッシ枠２（例えば図４参照）は、建物の開口部に取り付けられている既存サッシ枠１０２に取り付けられるリフォーム用サッシ枠２であって、サッシ枠本体２０と、このサッシ枠本体２０に形成されて前記既存サッシ枠１０２に固定される固定部２１ｂ，２２ｂ，２２ｂ，２３ｂとを備えており、
前記サッシ枠本体１０２の上横枠２１の断面形状が、前記既存サッシ枠１０２の上横枠に嵌合するような断面に形成され、かつ、前記サッシ枠本体１０２の上横枠２１のレール部２１ａの内部に、上方に開口する溝２１ｃが形成され、この溝２１ｃに前記既存サッシ枠１０２の上横枠のレール部が嵌合されることを特徴とする。
【０００６】
この請求項１記載のリフォーム用サッシ枠２によれば、このリフォーム用サッシ枠２は、建物の開口部に取り付けられている既存サッシ枠１０２に取り付けられるので、リフォーム用サッシ枠２を取り付ける際に、既存サッシ枠１０２および既存サッシ枠１０２周囲の外壁部分に取り合うシーリングや内装部分に取り合う室内窓枠などの内装材を取り外す必要がない。したがって、これら既存サッシ枠１０２およびその周囲に取り合う内外装材の取り外しに必要な手間と労力を削減できる。また、既存サッシ枠１０２およびその周囲に取り合う内外装材が廃棄物として排出されることがない。
また、前記サッシ枠本体２０の断面形状が、既存サッシ枠１０２の既存サッシ枠本体１２０に嵌合するような断面に形成されているので、サッシ枠本体２０を既存サッシ枠１０２に被せるようにして取り付けることができる。よって、既存サッシ枠１０２の内法寸法１０２Ｈに比して、リフォーム用サッシ枠２の内法寸法２Ｈが、さほど小さくなることがない。
【０００７】
請求項２記載のリフォーム用サッシ枠１（例えば図１〜図２参照）は、請求項１において、
サッシ枠本体１０が複数の部材１１，１２，１２，１３から構成されていること
を特徴とする。
ここで、前記複数の部材１１，１２，１２，１３は、例えばサッシ枠本体１０を構成する上下の横枠と左右の縦枠であるが、この他、リフォーム用サッシ枠１の屋内側に取り付ける化粧枠や、屋外側に取り付ける雨戸用の枠などを部材の一つとしてもよく、さらに、これら化粧枠や雨戸用の枠を複数の部材で構成してもよい。
【０００８】
この請求項２記載のリフォーム用サッシ枠１によれば、請求項１と同様の効果が得られるとともに、サッシ枠本体１０が複数の部材１１，１２，１２，１３から構成されているので、前記複数の部材１１，１２，１２，１３を分割した状態で、かさばることなく搬送することができる。また、リフォーム用サッシ枠１の取り付けに当たっては、リフォーム用サッシ枠１全体に比して小さく軽量である前記部材１１，１２，１２，１３毎に所定の位置に取り付けることにより、作業性が向上する。
【０００９】
請求項３記載のリフォーム用サッシ枠１（例えば図３参照）は、請求項１または２において、
前記サッシ枠本体１０または固定部１１ｂ，１２ｂ，１２ｂ，１３ｂのうちの少なくとも一方には、シャッター用レール１４ａ，１４ａおよびシャッター用水切１４ｂが着脱可能に取り付けられていること
を特徴とする。
【００１０】
この請求項３記載のリフォーム用サッシ枠１によれば、請求項１または２と同様の効果が得られるとともに、シャッターを備えたリフォーム用サッシ枠を取り付ける際に、シャッターを備えないリフォーム用サッシ枠１と形状の異なるリフォーム用サッシ枠を別途用意する必要がなく、シャッターを備えないリフォーム用サッシ枠１にシャッター用レール１４ａ，１４ａおよびシャッター用水切１４ｂを取り付けて使用することができる。また、既存サッシ枠１０１に取り付け済みのリフォーム用サッシ枠１に、後からシャッター用レール１４ａ，１４ａおよびシャッター用水切１４ｂを取り付けたり、既存サッシ枠１０１への取り付け当初からシャッター用レール１４ａ，１４ａおよびシャッター用水切１４ｂを備えていたリフォーム用サッシ枠１からシャッター用レール１４ａ，１４ａおよびシャッター用水切１４ｂのみを撤去する作業を、簡便に行うことができる。
【００１１】
請求項４記載のリフォーム用サッシ枠２（例えば図４参照）は、請求項１〜３のいずれかにおいて、
前記サッシ枠本体２０の断面形状が、既存サッシ枠１０２の既存サッシ枠本体１２０に嵌合するような断面に形成されていること
を特徴とする。
【００１５】
【発明の実施の形態】
以下、図面を参照して、本発明のリフォーム用サッシ枠の実施の形態を具体的に説明する。
【００１６】
（実施形態例１）
図１は、本実施形態例のリフォーム用サッシ枠および、これを取り付ける対象となる既存サッシ枠を示すもので、図１（ａ）は縦断面図、図１（ｂ）は平断面図である。図２，図３は、このリフォーム用サッシ枠を既存サッシ枠に取り付けた状態を示すもので、図２（ａ），図３（ａ）は縦断面図、図２（ｂ），図３（ｂ）は平断面図である。
【００１７】
本実施形態例のリフォーム用サッシ枠１は、図１に示すように、正面視略矩形状のサッシ枠本体１０と、シャッター用レール１４ａ、シャッター用水切１４ｂとから概略構成されている。サッシ枠本体１０はさらに、部材１１，１２，１２，１３とから構成されている。前記部材１１，１３は、サッシ枠本体１０の上下の横枠であり、前記部材１２，１２は、サッシ枠本体１０の左右の縦枠である。サッシ枠本体の部材１１，１３はそれぞれ、レール部１１ａ，１３ａを備え、またサッシ枠本体の部材１１，１２，１２，１３にはそれぞれ、固定部１１ｂ，１２ｂ，１２ｂ，１３ｂが形成されている。
固定部１１ｂ，１２ｂ，１３ｂはそれぞれ、部材１１の上面、部材１２の側面、部材１３の下面からサッシ枠本体１０の枠外方に突出する板状のものであり、各部材１１，１２，１３の長手方向に延在するようにして形成されている。
ここで、サッシ枠本体１０を構成する部材１１，１２，１２，１３、および、シャッター用レール１４ａ、シャッター用水切１４ｂのそれぞれは、アルミニウム材で形成されている。
【００１８】
本リフォーム用サッシ枠１を既存サッシ枠１０１に取り付けるに当たっては、まず、部材１１を、既存サッシ枠１０１の枠上部の既存サッシ枠本体１１０に当接するように所定の位置に配し、部材１１に形成された固定部１１ｂを、既存サッシ枠面上に、図示しないネジによって締め付け固定する。他の部材１２，１２，１３も順次、それぞれに形成された固定部１２ｂ，１２ｂ，１３ｂを、既存サッシ枠面上に、図示しないネジによって締め付け固定する。この状態で、図２に示すように、リフォーム用サッシ枠１が既存サッシ枠１０１に取り付けられた状態となる。最後に、リフォーム用サッシ枠の固定部１１ｂ，１２ｂ，１２ｂ，１３ｂのそれぞれが、既存サッシ枠の屋外側の面上に取り合う部分を、図示しないシーリングにより防水処理を施す。シャッターを取り付けない場合は、この時点でリフォーム用サッシ枠１の取付作業が完了する。
【００１９】
また、本リフォーム用サッシ枠１に、シャッターを取り付ける場合には、さらに、図３に示すように、シャッター用水切１４ｂを部材１３に当接するように所定の位置に配し、予め部材１３およびシャッター用水切１４ｂに設けられた図示しないビス孔にビスを締め込み固定する。続いて、２本のシャッター用レール１４ａ，１４ａをそれぞれ、その嵌合部１４ａｊ，１４ａｊを部材１２，１２の突起部１２ｊ，１２ｊに嵌合させるようにしてはめ込み、部材１２，１２に固定する。この時点で、リフォーム用サッシ枠１の取付作業が完了する。この後、シャッターの取り付け作業を行い、このシャッターは、シャッター用レール１２ｊ，１２ｊ間を滑ることで開閉されることになる。
【００２０】
（実施形態例２）
図４は、本実施形態例のリフォーム用サッシ枠２を既存サッシ枠１０２に取り付けた状態を示す縦断面図である。
【００２１】
本実施形態例のリフォーム用サッシ枠２は、図４に示すように、サッシ枠本体２０から成っており、該サッシ枠本体はさらに、部材２１，２２，２２，２３とから構成されている。サッシ枠本体の部材２１，２３はそれぞれ、レール部２１ａ，２３ａを備え、またサッシ枠本体の部材２１，２２，２２，２３にはそれぞれ、固定部２１ｂ，２２ｂ，２２ｂ，２３ｂが形成されている。部材２１の断面形状は、既存サッシ枠１０２の枠上部の既存サッシ枠本体１２０に嵌合するような断面に形成されている。
すなわち、部材２１のレール部２１ａの内部には、上方に開口する溝２１ｃが形成されており、この溝２１ｃに、既存サッシ枠１０２のレール部が嵌合されるようになっている。
ここで、サッシ枠本体２０を構成する部材２１，２２，２２，２３のそれぞれは、アルミニウム材で形成されている。
【００２２】
本リフォーム用サッシ枠２を既存サッシ枠１０２に取り付けるに当たっては、まず、部材２１を、既存サッシ枠１０２の枠上部の既存サッシ枠本体１２０に嵌合するように所定の位置に配し、部材２１に形成された固定部２１ｂを、既存サッシ枠１０２面上に、図示しないネジによって締め付け固定する。他の部材２２，２２，２３も順次、それぞれに形成された固定部２２ｂ，２２ｂ，２３ｂを、既存サッシ枠面上に、図示しないネジによって締め付け固定する。この状態で、図２に示すように、リフォーム用サッシ枠２が既存サッシ枠１０２に取り付けられた状態となる。最後に、リフォーム用サッシ枠の固定部２１ｂ，２２ｂ，２２ｂ，２３ｂのそれぞれが、既存サッシ枠１０２の屋外側の面上に取り合う部分を、図示しないシーリングにより防水処理を施す。この時点でリフォーム用サッシ枠２の取付作業が完了する。
【００２３】
（実施形態例３）
図５は、本実施形態例のリフォーム用サッシ枠３を既存サッシ枠１０３に取り付けた状態を示す縦断面図である。
【００２４】
本実施形態例のリフォーム用サッシ枠３は、図５に示すように、サッシ枠本体３０から成っており、該サッシ枠本体３０はさらに、部材３１，３２，３２，３３とから構成されている。サッシ枠本体３０の部材３１，３３はそれぞれ、レール部３１ａ，３３ａを備え、またサッシ枠本体の部材３１，３２，３２，３３にはそれぞれ、固定部３１ｂ，３２ｂ，３２ｂ，３３ｂが形成されている。サッシ枠本体３０のレール部は、リフォーム用サッシ枠３が既存サッシ枠１０３に取り付けられた状態で、図５に示すように、既存サッシ枠１０３より屋外側になるような位置に設けられている。
ここで、サッシ枠本体３０を構成する部材３１，３２，３２，３３のそれぞれは、アルミニウム材で形成されている。
【００２５】
本リフォーム用サッシ枠３を既存サッシ枠１０３に取り付ける手順は、実施形態例１（または２）のリフォーム用サッシ枠１（２）の取付手順と同様、部材３１，３２，３２，３３を順次、それぞれに形成された固定部３１ｂ，３２ｂ，３２ｂ，３３ｂを、既存サッシ枠１０３面上に、図示しないネジによって締め付け固定した上で、固定部１１ｂ，１２ｂ，１２ｂ，１３ｂのそれぞれが既存サッシ枠１０３の屋外側の面上に取り合う部分を、図示しないシーリングにより防水処理を施す。
【００２６】
以上、実施形態例１のリフォーム用サッシ枠１（２）（３）によれば、これらリフォーム用サッシ枠１（２）（３）は、建物の開口部に取り付けられている既存サッシ枠１０１（１０２）（１０３）に取り付けられるので、リフォーム用サッシ枠１（２）（３）を取り付ける際に、既存サッシ枠１０１（１０２）（１０３）および既存サッシ枠１０１（１０２）（１０３）周囲の外壁部分に取り合うシーリングや内装部分に取り合う室内窓枠などの内装材を取り外す必要がない。したがって、これら既存サッシ枠１０１（１０２）（１０３）およびその周囲に取り合う内外装材の取り外しに必要な手間と労力を削減できる。また、既存サッシ枠１０１およびその周囲に取り合う内外装材が廃棄物として排出されることがない。
また、サッシ枠本体１０（２０）（３０）が複数の部材１１，１２，１２，１３（２１，２２，２２，２３）（３１，３２，３２，３３）から構成されているので、前記複数の部材１１，１２，１２，１３（２１，２２，２２，２３）（３１，３２，３２，３３）を分割した状態で、かさばることなく搬送することができる。また、リフォーム用サッシ枠１（２）（３）の取り付けに当たっては、リフォーム用サッシ枠１（２）（３）全体に比して小さく軽量である前記部材１１，１２，１２，１３（２１，２２，２２，２３）（３１，３２，３２，３３）毎に所定の位置に取り付けることにより、作業性が向上する。
【００２７】
これに加えて、実施形態例１のリフォーム用サッシ枠１によれば、実施形態例１〜３に共通する上記の効果が得られるとともに、シャッターを備えたリフォーム用サッシ枠を取り付ける際に、シャッターを備えないリフォーム用サッシ枠１と形状の異なるリフォーム用サッシ枠を別途用意する必要がなく、シャッターを備えないリフォーム用サッシ枠１にシャッター用レール１４ａ，１４ａおよびシャッター用水切１４ｂを取り付けて使用することができる。また、既存サッシ枠１０１に取り付け済みのリフォーム用サッシ枠１に、後からシャッター用レール１４ａ，１４ａおよびシャッター用水切１４ｂを取り付けたり、既存サッシ枠１０１への取り付け当初からシャッター用レール１４ａ，１４ａおよびシャッター用水切１４ｂを備えていたリフォーム用サッシ枠１からシャッター用レール１４ａ，１４ａおよびシャッター用水切１４ｂのみを撤去する作業を、簡便に行うことができる。
【００２８】
また、実施形態例２のリフォーム用サッシ枠２によれば、実施形態例１〜３に共通する上記の効果が得られるとともに、前記サッシ枠２０本体の断面形状が、既存サッシ枠１０２の既存サッシ枠本体１２０に嵌合するような断面に形成されているので、サッシ枠本体２０を既存サッシ枠１０２に被せるようにして取り付けることができる。よって、既存サッシ枠１０１の内法寸法１０２Ｈに比して、リフォーム用サッシ枠１の内法寸法２Ｈが、さほど小さくなることがない。
【００２９】
また、実施形態例３のリフォーム用サッシ枠３によれば、実施形態例１〜３に共通する上記の効果が得られるとともに、前記サッシ枠本体３０のレール部３１ａ，３３ａが、既存サッシ枠１０３より屋外側に設けられているので、リフォーム用サッシ枠３が取り付けられた開口部において、屋内空間が屋外側へ広がり、開放感を得ることができる。また、この屋内空間の広がり部分を出窓等として利用することができる。
【００３０】
なお、本発明は上記の実施形態例に限定されることなく、本発明の主旨を逸脱しない範囲において、種々の改良並びに設計の変更を行ってもよい。
例えば、上記の実施形態例ではリフォーム用サッシ枠１，２，３がアルミニウム材で形成されているものとしたが、これに代えて、例えば、鋼材や、防腐処理が施された木質材料などで形成されていてもよい。
また、上記の実施形態例ではリフォーム用サッシ枠１，２，３として、引違い式サッシを例に挙げたが、本発明はこれに限定されることなく、例えば、上げ下げ式サッシ、片開き式サッシ、両開き式サッシ、回転式サッシなどにも適用可能である。
その他、具体的な細部構造などについても適宜に変更可能であることは勿論である。
【００３１】
【発明の効果】
請求項１記載のリフォーム用サッシ枠によれば、このリフォーム用サッシ枠は、建物の開口部に取り付けられている既存サッシ枠に取り付けられるので、リフォーム用サッシ枠を取り付ける際に、既存サッシ枠および既存サッシ枠周囲の外壁部分に取り合うシーリングや内装部分に取り合う室内窓枠などの内装材を取り外す必要がない。したがって、これら既存サッシ枠およびその周囲に取り合う内外装材の取り外しに必要な手間と労力を削減できる。また、既存サッシ枠およびその周囲に取り合う内外装材が廃棄物として排出されることがない。
また、前記サッシ枠本体の断面形状が、既存サッシ枠の既存サッシ枠本体に嵌合するような断面に形成されているので、サッシ枠本体を既存サッシ枠に被せるようにして取り付けることができる。よって、既存サッシ枠の内法寸法に比して、リフォーム用サッシ枠の内法寸法が、さほど小さくなることがない。
【００３２】
請求項２記載のリフォーム用サッシ枠によれば、請求項１と同様の効果が得られるとともに、サッシ枠本体が複数の部材から構成されているので、前記複数の部材を分割した状態で、かさばることなく搬送することができる。また、リフォーム用サッシ枠の取付に当たっては、リフォーム用サッシ枠全体に比して小さく軽量である前記部材毎に所定の位置に取り付けることにより、作業性が向上する。
【００３３】
請求項３記載のリフォーム用サッシ枠によれば、請求項１または２と同様の効果が得られるとともに、シャッターを備えたリフォーム用サッシ枠を取り付ける際に、シャッターを備えないリフォーム用サッシ枠と形状の異なるリフォーム用サッシ枠を別途用意する必要がなく、シャッターを備えないリフォーム用サッシ枠にシャッター用レールおよびシャッター用水切を取り付けて使用することができる。また、既存サッシ枠に取り付け済みのリフォーム用サッシ枠に、後からシャッター用レールおよびシャッター用水切を取り付けたり、既存サッシ枠への取り付け当初からシャッター用レールおよびシャッター用水切を備えていたリフォーム用サッシ枠からシャッター用レールおよびシャッター用水切のみを撤去する作業を、簡便に行うことができる。
【図面の簡単な説明】
【図１】本発明のリフォーム用サッシ枠の一実施形態を示すもので、（ａ）は縦断面図、（ｂ）は平断面図である。
【図２】同、（ａ）は縦断面図、（ｂ）は平断面図である。
【図３】同、（ａ）は縦断面図、（ｂ）は平断面図である。
【図４】本発明のリフォーム用サッシ枠の他の実施形態を示す縦断面図である。
【図５】本発明のリフォーム用サッシ枠のさらに他の実施形態を示す縦断面図である。
【符号の説明】
１，２，３                リフォーム用サッシ枠
１０，２０，３０          サッシ枠本体
１１，１２，１３，２１，２２，２３，３１，３２，３３    部材
１１ｂ，１２ｂ，１３ｂ，２１ｂ，２２ｂ，２３ｂ，３１ｂ，３２ｂ，３３ｂ固定部
１４ａ                    シャッター用レール
１４ｂ                    シャッター用水切
１０１，１０２，１０３    既存サッシ枠
１１０，１２０，１３０    既存サッシ枠本体
【図１】
0004335378.tif 000002
【図２】
0004335378.tif 000003
【図３】
0004335378.tif 000004
【図４】
0004335378.tif 000005
【図５】
0004335378.tif 000006